(57)【要約】【課題】  発汗肌でも、患部に当てがったまま、軽快に、膏体の保護フイルムを剥離し、貼付できる貼付剤を提供する。【解決手段】  貼付剤は、支持体と、その上に塗布された膏体、その表面に膏体保護も兼ねた、しなやかな、環状フイルムが剥離可能に粘着されている。この環状フイルムは、二重状のフイルムであるが、両端部が継がった、環状のフイルムである。この環状フイルムのもう一方の外側面には、フイルムを取り出す引手部を設け、その一側端は支持体より突出さしている。また、この引手部の肌面側なる面には、すべり部材、あるいは、補助環状フイルムを設けている。【選択図】図１
2012176222.tif 000002
【特許請求の範囲】
【請求項１】
支持体と、その上に塗布された膏体、その表面に膏体の保護フイルムが剥離可能に粘着される貼付剤において、保護フイルムが、しなやかな、環状の、環状フイルムであることを特長とする貼付剤。
【請求項２】
支持体と、その上に塗布された膏体、その表面に膏体の保護フイルムが剥離可能に粘着される貼付剤において、保護フイルムが、しなやかなシート状のフイルムを、離開可能に粘着し、環状化した環状フイルムで、この環状フイルムの、膏体に接していない部位を、引っぱると、その粘着部が離開されていくことを特長とする貼付剤。
【請求項３】
請求項１に記載された貼付剤であって、引手部なるシートを、環状フイルムの、膏体に接してない側の表面に離開可能に粘着する。あるいは、同表面のフイルム折り返しのある片側の端部に接合する。あるいは、その両方を施す。このシートの一端は、接合が施されてない場合、シートを牽引する方向の支持体より突出さしており、接合を、施している場合は、接合部の反対側方向の支持体より突出さしていることを特長とする貼付剤。
【請求項４】
請求項２に記載された貼付剤であって、引手部なるシートを、環状フイルムの、膏体に接してない部位に設ける。このシートは、シートを牽引する方向の支持体より突出さしていることを特長とする貼付剤。
【請求項５】
請求項３、及び、請求項４、に記載された貼付剤であって、引手部なるシートの、肌面側の外側面に、吸液性の、すべり部材を設けていることを特長とする貼付剤。
【請求項６】
請求項３、及び、請求項４、に記載された貼付剤であって、引手部なるシートを挟んで環状フイルムと対称に、補助環状フイルムを設けていることを特長とする貼付剤。
【請求項７】
請求項１、ないし、請求項６、に記載された貼付剤であって、環状フイルム、及び、補助環状フイルムの内面には、潤滑剤を塗布していることを特長とする貼付剤。
【発明の詳細な説明】
【技術分野】
【０００１】  本発明は、発汗等、肌の条件を問わず、本体をそのまま肌に当てがい、軽快に支障なく保護フイルムを剥がし、貼付する貼付剤に関するものである。
【背景技術】
【０００２】  従来の市販の貼付剤（湿布薬）は、貼付時、前もって膏体の保護フイルムを剥がしてから目的の患部まで運び貼付していた。一部には、患部付近に添えたものを両手で両部部をつまみ、同時に左右に引っぱって保護フイルムを剥がし貼付するものも市販されている。この方法は、剥がしたフイルムの後処理が煩わしい場合があったり、また、いずれのものも、貼付部位によっては功妙な手腕を要したり、衣服を脱いでしまう必要もあった。それだけでなく、目的通り患部に貼付出来ない場合も度々あり、その貼り直しに苦労していた。【０００３】  上記の様な貼付剤以外にも、商品名「バンドエイド」の中央部にある、折り返されているつまみ代を長く伸ばした様な、Ｊ型の反転二重フイルム式のものが発表されています。この方法は思いつき易く、日常何気なく似た様なしぐさを実行している関係上、すぐにでも実用化可能と思い込みがちです。しかし、発表されているものは、実用化前に解決すべき問題点、すなわち、肌の状况や、操作に伴なう重大な支障にほとんど触れられてないようです。そこでこの方式の貼付剤を肌に当てがい貼付する時の支障発生状况を以下に記した。【０００４】  Ｊ型の反転二重フイルム式の貼付剤の問題点
〈０１〉  貼付時、本体を手でつまみ、患部に当てがうが、つまむ段階から二重フイルム間で、スベリという支障が発生し、次の操作にうまく継げる事が出来ない支障．
〈０２〉  本体が肌に当てがわれている場合、貼付部位をずらそうとした瞬間、また引き出し操作しようとした瞬間、押圧バランスが変化し本体がフイルム上を滑ってしまい支障発生．
〈０３〉  多汗、多脂症の肌では、肌面に接しているフイルム部の滑りが悪かったり、密着してしまったりして、軽快操作に支障．
〈０４〉  対峙した二重のフイルムが離れたり、ずれたりして扱いにくく、予期せぬ支障も発生し、更に梱包にも不利．
【特許文献】特開２００７−１２６４２５
【特許文献】特開２００８−２７３８９２
【特許文献】特開平１０−１７４６５
【発明が解決しようとする課題】
【０００５】  本発明が解決しようとする課題は、貼付操作時、上記した様な支障もなく、簡単に、無器用な老人も、着衣のまま、任意の部位に当てがったまま貼付可能にすることが出来る貼付剤を提供することである。
【課題を解決する為の手段】
【０００６】  本発明は上記の課題を解決する為の第１手段として、支持体と、その上に塗布された膏体、その表面に膏体の保護フイルムが剥離可能に粘着される貼付剤において、保護フイルムが、しなやかな環状の環状フイルムであることを特長とする貼付剤を提供するものである。
【０００７】  本発明は、上記の課題を解決するための第２の手段として、支持体とその上に塗布された膏体、その表面に膏体の保護フイルムが剥離可能に粘着される貼付剤において、保護フイルムが、しなやかなシート状のフイルムを離開可能に粘着し環状化した環状フイルムで、この環状フイルムの膏体に接していない部位を、引っぱると、環状化した粘着部が離開されることを特長とする貼付剤を提供するものである。
【０００８】  本発明は、上記の課題を解決するための第３の手段として、上記第１の解決手段の環状フイルムを用いた貼付剤であって、引手部なるシートを、環状フイルムの膏体に接していない側の表面に、離開可能に粘着する。あるいは、環状フイルムの折り返されている端部に接合する。あるいは、その両方を施す。このシートの一端は、シートを牽引する方向の支持体端部より突出さしている。シートを接合している場合は、接合している反対方向の支持体端部より突出さしていることを特長とする貼付剤を提供するものである。
【０００９】  本発明は、上記の課題を解決するための第４の手段として、上記第２の解決手段の環状化した環状フイルムを用いた貼付剤であって、引手部なるシートを、環状フイルムの、膏体に接していない部位に設ける。このシートは、シートを牽引する方向の支持体端部より突出さしていることを特長とする貼付剤を提供することである。
【００１０】  本発明は、上記の課題を解決するための第５の手段として、上記の第３の解決手段、及び、第４の解決手段の貼付剤であって、引手部なるシートの肌面側外側面に、吸液性のすべり部材を設けていることを特長とする貼付剤を提供することである。
【００１１】  本発明は、上記の課題を解決するための第６の手段として、上記の第３の解決手段、及び、第４の解決手段の貼付剤であって、引手部なるシートの肌面側外側面に、引手部なるシートを挟んで、環状フイルムと対称に、補助環状フイルムを設けていることを特長とする貼付剤を提供することである。
【００１２】  本発明は、上記の課題を解決するための第７の手段として、上記の第１から第６の解決手段の貼付剤であって、環状フイルム、及び、補助環状フイルムの内面には、潤滑剤を塗布していることを特長とする貼付剤を提供することである。
【発明の効果】
【００１３】  環状フイルムは、二重状のフイルムが支持体の両端部で継がっており、この継がった部分が、貼付操作時、対峙したフイルム間に発生する有害な水平応力を抑制する。よって、貼付時の支障、前記〔０００４〕の〈０１〉及び〈０２〉を防止する効果が得られる。
【００１４】  環状フイルムの内面に、潤滑剤を塗布することで、対峙したフイルム間の滑りが良くなり軽快操作に寄与する。更なる効果として、潤滑剤固有の粘性でもって、対峙したフイルム同志を密着さす効果が得られる。同時に、フイルム同志が無用に、ふくらんだり、ばらけたりすることも防止する。その結果、極限までコンパクトされた貼付剤は、扱いも、操作も容易で、予期せぬトラブルも未然に防止する。こういった効果は、補助環状フイルムを用いたタイプでは、より顕著である。また、梱包にも有利なる効果がある。
【００１５】  引手部の肌面に接する部分に、吸液性のすべり部材を設けたことで、多少の発汗があっても軽快操作が出来る効果が得られる。
【００１６】  引手部の肌面に接する部分に、補助環状フイルムを設けたことで、多汗、多脂症の肌でも軽快操作が出来る効果がある。この補助環状フイルムは、悪条件の肌面に張りつかして、その機能を発揮する設計ですが、普通の肌では、すべり部材の様に作用します。よって、補助環状フイルムを設けた貼付剤は、如可なる条件の肌でも軽快操作で貼付できる、マルチタイプの貼付剤として用いることが出来る効果がある。この補助環状フイルムを設けた貼付剤は、肌面の影響をほとんど受けないので、常に操作は軽快で、その軽快さは、貼付終了時まで続く効果が得られる。
【００１７】  環状フイルムを引き出す時、［請求項１］の環状フイルムは、環状のまま引き出されるので、環状フイルム内面に塗布した潤滑剤に触れることを防止する効果がある。それに対し、［請求項２］の環状フイルムは、一枚のシート状のフイルムとして引き出されるので、潤滑剤塗布面が露出する。しかし、貼付操作の良し悪しに関するフィーリングが微妙に異なり、用いるフイルムの量も偉うので、使い勝手、製造法、コスト等を考慮した選択肢を広げる効果がある。
【発明を実施する最良の形態】
【００１８】  以下、図面を参照しながら本発明の実施形態を説明する。図１は、本発明の貼付剤１を示し、貼付剤１は、支持体１１と、その表面に塗布された膏体１２、その表面に環状フイルム１３が剥離可能に粘着されている。更に、この環状フイルム１３の、膏体に接していないもう一方の表面には、引手部１４が剥離可能に設けられている。この引手部１４の一側端は、支持体１１より突出さしている。この突出さしている部分を、引手部１４−１、これ以外の部分を、引手部１４−２とする。引手部１４−１が突出している方向を、Ｘ方向、その反対側を、Ｙ方向とする。更に、この引手部１４の肌面側なる表面には、すべり部材１５を設けたものから成っている。引手部１４−１は、矢印、Ｘ方向に牽引する。
【００１９】  〈１．貼付剤本体〉
貼付剤本体は、貼付して使用するものであれば、種類は問いません。例えば、パップ剤、絆創膏、等があります。薬効成分の有無も問いません。材料も種類に応じた公知のものを選択できる。ここでは、市販のパップ剤を念頭に説明する。
【００２０】  〈２．環状フイルム〉
環状フイルム１３は、広げると円筒とも表現できる、しなやかな環状のフイルムです。その作用は、膏体の保護のみならず、環状フイルム１３自身を取り出しやすくする作用も任っている。更に、貼付操作に伴なう、有害なすべりを抑制し様ざまな支障を防止する装置として作用する。環状フイルム１３の材質は、プラスチックフイルムを用いるのが良く、ポリエチレン等、市販のパップ剤等に用いられている公知のものが使用できる。フイルムの厚みは、しなやかさ、強度等を考慮すれば、０．０１ｍｍ〜０．０４ｍｍ位が良い。環状フイルムは、シート状のフイルムを、円筒状に接合したものでもよく、円筒状に押し出し製造したものを用いても良い。こうして出来た円筒状の環状フイルムは、フイルム同志を対峙させ、一枚のフイルムに見える二重フイルム状態で用いている。その一表面は、膏体１２に粘着している。この一表面を、環状フイルムＡ面と以下呼ぶことがある。その反対側表面を、環状フイルムＢ面と以下呼ぶことがある。更に、この環状フイルムＢ面には、引手部１４を設けている。環状フイルム１３の寸法は基本的には、支持体１１と同寸で良いが、引手部１４−１がある、Ｘ方向は、支持体１１より、数ｍｍ突出さしていると、環状フイルムを取り出しやすくなり優れる。この突出部を、△１３とする。
【００２１】  〈３  潤滑剤〉
環状フイルム１３の内面には、シリコンオイル等、潤滑剤１６を塗布する。潤滑剤１６の作用は、対峙した環状フイルム１３の内面の摩擦抵抗を減らし、軽快操作に寄与する。更に、潤滑剤固有の粘性でもって、対峙した環状フイルム１３同志を密着さし、無用に、ばらけたり、ふくらんだりするのを防止する。更に、コンパクト化するので、操作しやすく、操作に伴なう失敗を未然に防止する。潤滑剤１６は、鉱物油、合成油等、公知のものが利用できる。
【００２２】  〈４  引手部〉
引手部１４は、引手部１４−１、引手部１４−２から成り、環状フイルム１３のＢ面に離開可能に粘着されている。引手部１４−１は、支持体１１より突出さしており、この部分が環状フイルム１３を引き出す、つまみ代になる。それ以外の部分を、引手部１４−２とする。引手部１４の材質は、プラスチック等、肌面と密着しやすい材料を、Ａ材、もしくは、肌面で滑りやすい材料を、Ｂ材、の２通りある。Ａ材を用いた場合、発汗時でも、肌面で滑りやすくする為の、すべり部材１５を、Ａ材の肌面側に設ける。Ｂ材を用いた場合、引手部１４と、すべり部材そのものを共用する事が出来る。この共用したすべり部材を、すべり部材１５−Ｂとする。すべり部材１５と、すべり部材１５−Ｂは、強度は異る場合があるが、作用的には同じものを用いることが出来る。引手部１４−２と、環状フイルム１３とは、離開可能なる粘着接続する。この粘着部は、引手部１４−１を引くと剥がされていきます。引手部１４−２のＹ端は、環状フイルム１３のＹ端であるが、この端部の手前、数ｍｍは、粘着でなく接合しておくのが望ましい。こうすることで、貼付操作完了と同時に、環状フイルム１３が確実に、引手部１４と共に引き出される。この粘着部を、１０、接合部を、１０−１とする。引手部１４−１は、指でつまんだり、指穴等のあるものは指をかけたり、操作しやすいものを適宜選択すると良い。
【００２３】  〈５  すべり部材〉
環状フイルム１３を、引手１４−１で引き出す場合、引手部１４の一表面が肌面上を滑っていきます。しかし、引手部１４に、すべりにくい材料、Ａ材を用いた場合、発汗等、悪条件の場合、肌面上を滑りにくくなります。これを防止するため、引手部１４の肌面側表面に、すべり部材１５を設け、軽快操作の一助にする。但し、引手部１４が、すべりやすい材料Ｂ材を用いている場合は、設ける必要はない。すべり部材１５は、吸液性を有する材料で、布、紙、不織布等を適宜選択するとよい。引手部１４に、Ａ材を用いた場合、すべり部材１５は、引手部１４−２の部分にのみ設けてもよいが、引手部１４−１まで含めた全ての面に設けてもよい。
【００２４】  （第１の実施の形態）
こうした構成の貼付剤１を貼付するには、一方の手で患部に当てがい、支持体１１の上面を押圧しておく。もう一方の手で、引手１４−１を引っぱって環状フイルム１３を引き出して、貼付する。具体的には、引手部１４−１を把握し、Ｘ方向に引っぱると、すべり部材１５が肌面上を滑り、同時に牽引力は環状フイルム１３にも及ぶ。そうすると環状フイルム１３は、キャタピラの回転の如く連続的に反転し、環状フイルム１３のＡ面は、膏体１２から剥がされていく。同時に環状フイルム１３のＢ面もＸ方向から、引手部１４−２との粘着部が離開、剥がされていく。剥がされた部分の膏体１２は、当てがわれている手の押圧により自動的に貼付される。貼付終了と同時に環状フイルム１３は、環状のままの姿で引手部１４と共に取り出される。この一連の作用は軽快に進行するが、操作始めは、強めに引っぱる必要がある。しかし、引手部１４−１を、数ｃｍ引き出すと、膏体１２が肌に粘着し、その粘着力が反牽引力となり、弱い操作力での操作に移行できる。こういった貼付方式は、引手部１４−１の引き始めに最大の牽引力を要し、手の押圧力も最大になります。故に、支持体１１の表面が滑りやすい場合、手との摩擦力が少なく、引手部１４−１の牽引力により、貼付剤１そのものがずれてしまう場合が生じる。これを防止するため、支持体１１の表面にすべり防止策を施しておくと、弱い押圧力で貼付操作が可能になる。すべり防止策は、支持体１１の表面に、発泡ウレタン等、公知のものを適当な方法で付着さしておくが、視覚や、触覚に訴え、自然と手さぐりでも、押圧ポイントが認識できる様にすると良い。これまでの、反転二重フイルム式の貼付剤では、こういった貼付操作の最初の段階から、様ざまな支障が発生し、実用化のネックとなっていた。しかし、考案した貼付剤は、環状フイルム１３や、すべり部材１５等等による相乗効果で、支障もなく、位置決めも、当てがい直しも簡単に出来るものになった。
【００２５】  （第２の実施の形態）
次に、補助環状フイルム１７を用いた、第２の実施の形態について、図２を参照にしながら説明すると、第１の実施の形態では、環状フイルムのＢ面側には、すべり部材１５を設け、多少の発汗肌でも軽快操作が出来るようにしている。しかし、この方法でも一部の多汗症、多脂症、夏期等では操作に支障を来たす場合がある。そこで、どのような悪条件肌の場合であっても支障なく対応できる様考案したのが、補助環状フイルム１７を用いた貼付剤です。この補助環状フイルム１７は、すべり部材１５の代わりになるものです。これを用いた貼付剤２の構成は、補助環状フイルム１７を、引手部１４を挟み、環状フイルム１３と対称に設けたものです。補助環状フイルム１７は、環状フイルム１３と同等のものを用いる。引手部１４との接続方法は、環状フイルム１３のそれに準ずる。この場合、引手部１４の材料は、吸液性を考慮しなくてよい。その他は、貼付剤１と同じでよい。こういった構成にした貼付剤２を肌に当てがい、引手部１４−１を引っぱると、環状フイルム１３及び補助環状フイルム１７は、膏体及び肌面上を、鏡に写ったキャタピラの如く、ころがる様に反転し、膏体、及び、肌面から剥がされていく。また、同時に引手部１４−２に粘着している部分も同様の作用で反対方向、いわゆる、Ｘ方向から剥がされていく。このような合理的作用で、両環状フイルムは、どんな悪条件肌でも当てがったまま軽快に引き出す事が可能である。貼付終了と同時に、両環状フイルムは、環状の姿のまま、取り出されます。肌が滑りやすい状態の場合、補助環状フイルム１７は、すべり部材１５と同様、肌面上を滑って、支障なく貼付操作出来る。
【００２６】  （第３の実施の形態）
次に、環状フイルム２０を用いた、第３の実施の形態について、図３を参照にしながら説明すると、上記した、第１、第２の実施の形態で用いた、環状フイルム１３、及び、補助環状フイルム１７は、貼付完了で、環状の姿のまま取り出されます。しかし、第３の実施の形態で用いる、環状フイルム２０は、貼付操作に伴い、環状フイルム２０の環状化が開放されていき、最終的には、シート状のフイルムとして取り出されるという偉いがある。この環状フイルム２０の環状化は、しなやかな、シート状のフイルムを、離開可能に粘着し環状化したものであって、その特定部を引っぱると、その環状化さしている粘着部が離開する構成にしたものである。この考え方に基づき環状化する方法は何種類かあります。その方法によって環状化したフイルムを、環状フイルム２０、図３参照、環状フイルム２１、図４参照、環状フイルム２２、図５参照、環状フイルム２３、図６参照、環状フイルム２４、図７参照、環状フイルム２５、図８参照、とする。これらの、環状化した環状フイルムを用いた貼付剤の効果、及び、使い勝手は、環状フイルム１３、補助環状フイルム１７、それらを用いたものと同等である。
【００２７】  具体的に説明すると、環状フイルム２０を用いたのが、貼付剤３で、この環状フイルム２０は、しなやかなシート状のフイルムを、図３に示すように、ロール状に曲げ、いわゆる＜のり代＞とも言える部分を、離開可能なる様に粘着し環状化したものです。この様な構成にした環状フイルム２０の粘着部３１は、フイルムが、三重にになっていることが解ります。よって、この環状フイルム２０は、三重フイルムで構成したものとも解せます。この環状フイルム２０の肌面側なる表面には、すべり部材１５−Ｂを設け、Ｘ方向なる端部は、支持体１１より突出さしている。このすべり部材１５−Ｂは、引手部１４と共用しているので、支持体１１より突出さしている部分は引手部１４−１でもある。また、環状フイルム２０の肌面側なるフイルムのＸ方向を支持体より突出さしておくと、これを、引手部１４−１とすることも出来る。この場合、すべり部材１５、及び、すべり部材１５−Ｂ、いずれかを用いるとよい。環状フイルム２０と、すべり部材１５、すべり部材１５−Ｂは、接合すると良い。貼付剤３に用いる材料は、貼付剤１に準ずるものが使用できる。
【００２８】  図４は、環状フイルム２１を用いた貼付剤４の断面図を示し、その説明をする。環状フイルム２１は、しなやかなシート状のフイルムを、図４に示す様に、半分に反転さし、二重状にしている。この二重状になったフイルムの開放端部内面の一部分を、離開可能に粘着したものである。この環状フイルム２１の肌面側なる表面には、引手部１４と共用なるすべり部材１５−Ｂを設け、Ｘ方向は、支持体端部より突出さしておく。この突出部分が引手部１４−１となる。環状フイルム２１と、すべり部材１５−Ｂは離開せぬ様接合する。但し、この場合、環状フイルム２１の肌面側全面とは接合せず、粘着部３２の部分からＹ方向に数ｍｍ間隔を置いて、残りの部分３４を接合する。この様に構成した貼付剤４の環状フイルム２１の粘着部３２は、引手部１４とは離れており、引手部１４をフイルムと見なせば、粘着部３２の部分が二重になっているので、都合、三重フイルムの構成品と解することが出来る。この環状フイルム２１の粘着部３２の肌面側フイルムは、引手部１４の引き出し操作により反転し、三重状になって剥がされるという特長がある。その他潤滑等、貼付剤４に用いる材料は、貼付剤１に準ずるものが使用できる。
【００２９】  図５は、環状フイルム２２を用いた貼付剤５の断面図、図６は、環状フイルム２３を用いた貼付剤６の断面図、図７は、環状フイルム２４を用いた貼付剤７の断面図、図８は、環状フイルム２５を用いた貼付剤８の断面図を示し、その説明をする。図５の環状フイルム２２，及び、図６の環状フイルム２３を用いた貼付剤は、前記の、環状フイルム２０及び、環状フイルム２１を用いた貼付剤と同じ考えに基づき派生さしたもので作用等も同等です。よって説明は省略する。図７，図８の環状フイルム２４，及び２５は、二重に反転さしたフイルム間に、＜型、あるいは、＞型の、しなやかなフイルムを挟み、粘着さしたもので、これも同じ考えに基づいたもので、説明は省略する。
【００３０】  （第４の実施の形態）
次に、第４の実施の形態について説明する。図９は、第３の実施の形態の貼付剤３において、すべり部材１５の代わりに、引手部１４を挟んで、環状フイルム２０と、補助環状フイルム２６を用いたものを示している。これは、第１の実施の形態の貼付剤１に、補助環状フイルム１７を用い、第２の実施形態の貼付剤２の構成にしたのと同じ手法を用いたものである。よって、作用、効果等も同様であるので説明は省略する。同じく、環状フイルム２１，２２，２３，２４，２５，を用いた貼付剤も同様の形態にすることができる。この場合も、作用等も同様であるので説明は省略する。環状フイルム２０，及び２４，及び２５を用い、第４の実施形態にする場合は、フイルムそのものを、引手部１４とすることができる。各環状フイルムと各補助環状フイルムは、必ずしも同じ構成のもの同志の組み合わせでなくとも、構成の異なるものを適宜組み合わして用いることが出来る。
【００３１】  （その他の実施の形態）
これまで説明した貼付剤１，図１〜貼付剤９，図９は、いわゆる片引きタイプです。この片引きタイプのものを、バンドエイドの如く、二枚、突き合わせ、両引きタイプ、図面１０参照、にしたものは、使い勝手の向上が計れます。図面には表わしてないが、全ての実施の形態の貼付剤が、両引きタイプ可能です。この両引きタイプの貼付方法は、左右、片方づつ、交互にフイルムの引き出し操作をする。左右のフイルムの寸法は、必ずしも同寸にする必要性はなく、貼付部位により、適宜選択すれば良い結果が得られる。また、全ての貼付剤において、膏体部を除く、剥がされて機能する粘着面の形状、及び、粘着法は、図面上には表わせてないが、方形、全面均一でなくとも、例えば、粘着面は楕円状、半円状に、そして粘着法は、点状、筋状にしてもよい。こうすることにより、使い勝手の向上が計れる。特に、離開可能に粘着し環状化したフイルムの粘着部は、粘着面の巾、及び長さも考慮して、使い勝手の向上を計るとよい。また、環状フイルム２１は、引手部１４−１を省いても、支持体１１のＸ方向の端部付近は、引手部１４−２とは離れており、貼付操作時、それを選別するのも、把握するのも容易である。こうすることによる効果は、困包に有利になる。コスト的にも有利である。こういった効果を必要とする場合、環状フイルム１３，及び、環状フイルム２０等を用いたものにも応用可能である。その方法は、図１の粘着部１０，及び、図３の粘着部３１の、Ｘ方向の端部側を、把握に必要なる巾を非粘着とするとよい。但し、補助環状フイルムを用いたタイプに用いると、操作性に問題が生じる。
【産業上の利用可能性】
【００３２】  本発明の貼付剤は、貼付により使用される湿布剤や、絆創膏等に広く適用することができる。
【図面の簡単な説明】
【００３３】
【図１】貼付剤１の断面図
【図２】貼付剤２の断面図
【図３】貼付剤３の断面図
【図４】貼付剤４の断面図
【図５】貼付剤５の断面図
【図６】貼付剤６の断面図
【図７】貼付剤７の断面図
【図８】貼付剤８の断面図
【図９】第４の実施の形態で、貼付剤３に補助環状フイルムを用いた断面図
【図１０】両引きタイプの貼付剤の斜視図
【図１１】貼付剤の使用状態を示す斜視図
【符号の説明】
【００３４】    １  貼付剤１
２      貼付剤２
３      貼付剤３
４      貼付剤４
５      貼付剤５
６      貼付剤６
７      貼付剤７
８      貼付剤８
１０      粘着部
１０−１  接合部
１１      支持体
１２      膏体
１３      環状フイルム
△１３      環状フイルム突出部
１４      引手部
１４−１  引手部
１４−２  引手部
１５      すべり部材
１５−Ｂ  引手部と共用したすべり部材
１６      潤滑剤
１７      補助環状フイルム
２０      環状化した環状フイルム
２１      環状化した環状フイルム
２２      環状化した環状フイルム
２３      環状化した環状フイルム
２４      環状化した環状フイルム
２４−１  ＜型のしなやかなフイルム
２５      環状化した環状フイルム
２５−１  ＞型のしなやかなフイルム
３１      粘着部
３２      粘着部
３３      間隔
３４      接合部
【図１】
2012176222.tif 000003
【図２】
2012176222.tif 000004
【図３】
2012176222.tif 000005
【図４】
2012176222.tif 000006
【図５】
2012176222.tif 000007
【図６】
2012176222.tif 000008
【図７】
2012176222.tif 000009
【図８】
2012176222.tif 000010
【図９】
2012176222.tif 000011
【図１０】
2012176222.tif 000012
【図１１】
2012176222.tif 000013